(57)【要約】  無線リソース割当て方法において、無線通信品質に応じて複数の無線端末装置を第１のグループ、第２のグループに分類し、該第１のグループに属する無線端末装置にうち、無線通信品質が最良な無線端末装置に割当てる送信時間帯と、該第２のグループに属する無線端末装置のうち、無線通信品質が最良な無線端末装置に割当てる送信時間帯とが、時間的に最も近接又は重なるように割当てる、ことを特徴とする。
2009025005.tif 000002
【特許請求の範囲】
【請求項１】
無線通信品質に応じて複数の無線端末装置を第１のグループ、第２のグループに分類し、
該第１のグループに属する無線端末装置にうち、無線通信品質が最良な無線端末装置に割当てる送信時間帯と、該第２のグループに属する無線端末装置のうち、無線通信品質が最良な無線端末装置に割当てる送信時間帯とが、時間的に最も近接又は重なるように割当てる、
ことを特徴とする無線リソース割当て方法。
【請求項２】
無線通信品質に応じて複数の無線端末装置を第１のグループ、第２のグループに分類する分類部と、  
該第１のグループに属する無線端末装置のうち、無線通信品質が最良な無線端末装置に割当てる送信時間帯と、該第２のグループに属する無線端末装置のうち、無線通信品質が最良な無線端末装置に割当てる送信時間帯とが、時間的に最も近接又は重なるように割当てる割当て部と、
を備えることを特徴とする無線基地局。
【請求項３】
システムに割当てられた全周波数を分割し隣接セルと異なる周波数を各セルで使用するように配下の端末装置に前記周波数を割当てる第１の時間帯と、前記全周波数を各セルで使用するように前記配下の端末装置に周波数を割当てる第２の時間帯とを交互に繰り返して前記端末装置にリソースを割当てるようにした、無線基地局装置におけるリソース割当て方法において、
前記無線基地局装置は前記第１の時間帯と前記第２の時間帯の夫々において前記端末装置に前記リソースを割当てるときに、前記第１の時間帯または前記第２の時間帯に前記端末装置に割当てるリソース数が不足し、夫々前記第２の時間帯または前記第１の時間帯に前記端末装置に割当てるリソース数が空いていると、前記第１の時間帯または前記第２の時間帯に割当てるべき前記端末装置のリソースを夫々前記第２の時間帯または前記第１の時間帯に割込んで割当てる割当てステップ、
を備えることを特徴とするリソース割当て方法。
【請求項４】
前記割当てステップにおいて、前記無線基地局装置は前記端末装置から収集した無線品質に応じた順序に従って前記端末装置に前記リソースを割当て、前記第２の時間帯または前記第１の時間帯に割込んで前記リソースが割当てられる前記端末装置の前記無線品質は割込まずに前記リソースが割当てられた前記端末装置の前記無線品質と比較し前記無線品質が高いことを特徴とする請求項１記載のリソース割当て方法。
【請求項５】
前記割当てステップにおいて、前記第２の時間帯または前記第１の時間帯に割込んで前記端末装置に前記リソースを割当てるときに、前記無線基地局装置は許容品質以上の前記無線品質を有する前記端末装置に対してのみ割込んで前記リソースを割当てることを特徴とする請求項２記載のリソース割当て方法。
【請求項６】
前記割当てステップにおいて、前記第２の時間帯または前記第１の時間帯に割込んで前記端末装置に前記リソースを割当てるときに、前記無線基地局装置は前記無線品質に応じた順序に基づく許容番号以上の無線品質を有する前記端末装置に対して割込んで前記リソースを割当てないことを特徴とする請求項２記載のリソース割当て方法。
【請求項７】
前記割当てステップにおいて、前記無線基地局装置の記憶部に予め許容品質閾値が記憶され、前記無線基地局装置は前記許容品質閾値を読み出し、収集した前記端末装置の前記無線品質と比較して前記許容品質閾値以上の前記無線品質を有する前記端末装置に割込んで前記リソースを割当てることを特徴とする請求項３記載のリソース割当て方法。
【請求項８】
前記割当てステップにおいて、前記無線基地局装置の記憶部に予め許容番号が記憶され、前記無線基地局装置は前記許容番号を読み出して前記順序に基づく番号と比較し、前記許容番号以上の前記端末装置に割込んで前記リソースを割当てないことを特徴とする請求項４記載のリソース割当て方法。
【請求項９】
前記割当てステップにおいて、前記無線基地局装置は、前記端末装置から無線品質を収集し、無線品質閾値以上の前記無線品質を有する前記端末装置を前記第２の時間帯に割当て、前記無線品質閾値より低い前記無線質を有する前記端末装置を前記第１の時間帯に割当てることを特徴とする請求項１記載のリソース割当て方法。
【請求項１０】
システムに割当てられた全周波数を分割し隣接セルと異なる周波数を各セルで使用するように配下の端末装置に前記周波数を割当てる第１の時間帯と、前記全周波数を各セルで使用するように前記配下の端末装置に周波数を割当てる第２の時間帯とを交互に繰り返して前記端末装置にリソースを割当てる無線基地局装置において、
前記第１の時間帯と前記第２の時間帯の夫々において前記端末装置に前記リソースを割当てるときに、前記第１の時間帯または前記第２の時間帯に前記端末装置に割当てるリソース数が不足し、夫々前記第２の時間帯または前記第１の時間帯に前記端末装置に割当てるリソース数が空いていると、前記第１の時間帯または前記第２の時間帯に割当てるべき前記端末装置のリソースを夫々前記第２の時間帯または前記第１の時間帯に割込んで割当てる順序付与部、
を備えることを特徴とする無線基地局装置。
【発明の詳細な説明】
【技術分野】
【０００１】
本発明は、無線基地局装置におけるリソース割当て方法、及び無線基地局装置に関する。
【背景技術】
【０００２】
従来から、ＦＤＭＡ（Frequency
Division Multiple Access：周波数分割多元接続）や、ＯＦＤＭＡ（Orthogonal Frequency Division
Multiple Access：直交周波数分割多元接続）などの通信方式は、隣接セルとの干渉を回避するため、システム全体に割当てられた周波数を分割し、隣接セルに異なる周波数を割当てる方法が用いられている（例えば、以下の特許文献１）。図１１は、かかる周波数割当て方法を説明するための図である。本方法は、同図に示すように、例えば３つのセル（セル＃１〜セル＃３）に異なる周波数（Ａ〜Ｃ）を夫々割当てる。特に、セル境界付近において異なるセルに位置する２つの端末装置は、互いに周波数が異なるため干渉の問題が少なく、良好な品質で各々の基地局装置と通信できる。【０００３】
しかし、割当て周波数のリソースは有限である。従って、分割した周波数を各セルに割当てると、一セルあたりに割当てられる周波数幅は全体の周波数幅に対して狭くなる。図１１の例では、「１／３」となる。このような割当て方法は、セル内に多くの端末装置が存在するとき、各端末装置への周波数の割当てができず、空き周波数ができるまで待つことになり、結果的に端末装置と基地局装置との間での伝送速度を劣化させてしまう。【０００４】
そこで、従来では、隣接セルとの干渉を回避しつつ、セルあたりの周波数幅を広げて、基地局装置と端末装置での通信の伝送速度を改善するようにしたものがある（例えば、以下の特許文献２）。図１２（Ａ）及び同図（Ｂ）はその例を説明するための図である。例えば、ある時間帯では、同図（Ａ）に示すように通信システム全体への割当て周波数を分割して隣接セルと異なる周波数を各セルに割当てる。また、別の時間帯では、同図（Ｂ）に示すように、通信システムへの全周波数を各セルに割当てる。本通信システムでは、交互に時間帯を切替えて通信を行う。  
【特許文献１】特開２００４−１５９３４５号公報
【特許文献２】特願２００７−９９９８９８号
【発明の開示】
【発明が解決しようとする課題】
【０００５】
特許文献２による周波数割当て（或いはリソース割当て）方法は、時間帯の切替えを各セルで一律に同時に行っている。その理由は、あるセルで全周波数を使用して通信を行っているときに（図１２（Ｂ））、隣接セルで分割された周波数幅で通信を行っていると（図１２（Ａ））、分割された周波数を使用するセルの端末装置はセル端に在圏しているので、全周波数を使用している隣接セルからの当該周波数が干渉となって、通信品質を確保できない場合もあるからである。【０００６】
しかし、このように時間帯の切替えを一律に同時に行うと、通信システム全体のリソースを有効活用できない場合が生じる。例えば、あるセルでは、周波数が余っているにも拘わらず、隣接セルでは周波数が不足したり、ある時間帯ではリソースが余っているにも拘わらず別の時間帯ではリソースが不足する等である。状況に応じて適応的に時間帯を切替えることのできるリソースの割当てが望まれる。【０００７】
このような切替え時間の変更に際し、時間帯ごとに割当て回数等を測定し、その統計データに基づいて行うことが考えられる。しかし、この方法では、統計データに基づいて切替え時間を計算するなど、リアルタイムに変化するトラフィック（通信量）の変動に追従できない。【０００８】
また、リソースの空き、不足等を確認するためにセル間同士で情報を送受信して調停を行うことも考えられる。しかし、この方法ではセル間での情報の送受信を高速に行う必要があり、また、セルの数が大きくなると調停も無限に広げる必要があるため、実際には実現が困難である。セル間で調停を行うことなく、セルが自律してリソースを割当てることが望まれる。【０００９】
そこで、本発明は上記問題点に鑑みてなされたもので、その目的は、状況に応じて適応的に時間帯を切替えることのできるリソース割当て方法や、基地局装置を提供することにある。【００１０】
また、本発明の他の目的は、各セルが自律してリソースを割当てることのできるリソース割当て方法等を提供することにある。
【課題を解決するための手段】
【００１１】
上記目的を達成するために、本発明の一実施態様によれば、無線リソース割当て方法において、無線通信品質に応じて複数の無線端末装置を第１のグループ、第２のグループに分類し、該第１のグループに属する無線端末装置にうち、無線通信品質が最良な無線端末装置に割当てる送信時間帯と、該第２のグループに属する無線端末装置のうち、無線通信品質が最良な無線端末装置に割当てる送信時間帯とが、時間的に最も近接又は重なるように割当てる、ことを特徴とする。【００１２】
また、上記目的を達成するために、本発明の他の実施態様によれば、無線基地局において、  無線通信品質に応じて複数の無線端末装置を第１のグループ、第２のグループに分類する分類部と、該第１のグループに属する無線端末装置のうち、無線通信品質が最良な無線端末装置に割当てる送信時間帯と、該第２のグループに属する無線端末装置のうち、無線通信品質が最良な無線端末装置に割当てる送信時間帯とが、時間的に最も近接又は重なるように割当てる割当て部と、を備えることを特徴とする。
【発明の効果】
【００１３】
本発明によれば、状況に応じて適応的に時間帯を切替えることのできる基地局装置におけるリソース割当て方法、及び基地局装置を提供できる。また、本発明によれば、各セルが自律してリソースを割当てることのできるリソース割当て方法等を提供できる。
【図面の簡単な説明】
【００１４】
【図１】図１は通信システムの構成例を示す図である。
【図２】図２は基地局装置の構成例を示す図である。
【図３】図３はリソース割当て処理の例を示すフローチャートである。
【図４】図４はリソース割当て処理の例を示すフローチャートである。
【図５】図５は全セル共通のリソース番号の例を示す図である。
【図６】図６（Ａ）乃至同図（Ｃ）は、各セルへのリソース割当て順序の例を示す図である。
【図７】図７（Ａ）乃至同図（Ｃ）は、リソースが不足した場合の割込み順序の例を示す図である。
【図８】図８（Ａ）乃至同図（Ｃ）は、リソースが不足した場合の割込み順序の例を示す図である。
【図９】図９（Ａ）乃至同図（Ｄ）は、リソース割当ての具体例を示す図である。
【図１０】図１０（Ａ）及び同図（Ｂ）は、リソース割当ての具体的を示す図である。
【図１１】図１１は、従来の周波数割当て例を示す図である。
【図１２】図１２（Ａ）及び同図（Ｂ）は、従来の周波数割当て例を示す図である。
【符号の説明】
【００１５】
１：移動通信システム                  １０：端末装置
２０（２０‐１〜２０‐ｎ）：無線基地局装置
２２：無線送受信部                    ２３：測定部
２４：制御部                          ２５：有線連結部
２６：記憶部                          ２７：無線品質によるＭＳ順序付与部（順序付与部）
２８：送信データの順序並び替え部（順序並び替え部）
２９：割当てパターン判定部            ３０：割当てパターン判定閾値設定部
３１：割込み許容ＭＳ無線品質閾値設定部
３２：割込み許容リソース番号限界閾値設定部
４０‐１〜４０‐ｍ：                  ６０：通信網
【発明を実施するための最良の形態】
【００１６】
本発明を実施するための最良の形態について以下説明する。  【００１７】
図１は移動通信システム１の構成例を示す図である。移動通信システム１は、端末装置１０と、無線基地局装置２０‐１〜２０‐ｎと、網接続装置４０‐１〜４０‐ｍと、通信網６０とを備える。【００１８】
端末装置１０は、各無線基地局装置２０‐１〜２０‐ｎの通信可能な範囲であるセルを移動しながら、各無線基地装置２０‐１〜２０‐ｎを介して他の端末装置１０や、通信網６０に接続されたサーバ等と通信を行う。端末装置１０は、例えば、携帯電話やＰＤＡ（Personal Digital Assistants）などの携帯情報端末である。【００１９】
無線基地局装置２０‐１〜２０‐ｎは、端末装置１０と網接続装置４０‐１〜４０‐ｎとの間に位置し、無線回線と有線回線の変換や中継、回線管理、通信制御等を行う。詳細は後述する。【００２０】
網接続装置４０‐１〜４０‐ｍは、通信網６０と無線基地局装置２０‐１〜２０‐ｎとのインターフェースであり、有線回線や端末装置１０の状態等を管理する。【００２１】
図２は無線基地局装置２０‐１〜２０‐ｎ（以下では、無線基地局装置２０とする）の構成例を示す図である。無線基地局装置２０は、アンテナ２１と、無線送受信部２２と、測定部２３と、制御部２４と、有線連結部２５と、記憶部２６と、無線品質によるＭＳ順序付与部２７と、送信データの順序並び替え部２８と、割当てパターン判定部２９と、割当てパターン判定閾値設定部３０と、割込み許容ＭＳ無線品質閾値設定部３１と、割込み許容リソース番号限界閾値設定部３２とを備える。【００２２】
無線送受信部２２は、有線連結部２５からのデータを無線信号に変換してアンテナ２１を介して端末装置１０に出力したり、アンテナ２１で受信した無線信号を一定のデータ形式に変換等して制御部２４や測定部２３に出力する。【００２３】
測定部２３は、端末装置１０の無線品質を測定するため、端末装置１０から送信された無線品質情報（端末装置において測定した無線基地局装置からの受信信号の受信品質）を一時記憶する。無線品質は、例えば、ＳＩＲ（Signal to Interference Ratio：信号対干渉比）やＳＮＲ（Signal to Noise Ratio：信号対熱雑音比）などがあるが、本実施例では、ＳＩＮＲ（Signal
to Interference and Noise Ratio：信号対干渉及び熱雑音比）である。勿論、ＳＩＲやＳＮＲでもよい。測定部２３は、端末装置から受信した信号の受信品質を測定し、無線品質情報とすることもできる。【００２４】
制御部２４は、無線送受信部２２から割込み許容リソース番号限界閾値設定部３２までの各部２２〜３２と接続され、これらの制御等を行う。【００２５】
有線連結部２５は、網接続装置４０‐１〜４０‐ｍと接続されて、無線送受信部２２からのデータ等を網接続装置４０‐１〜４０‐ｍへ出力したり、網接続装置４０‐１〜４０‐ｍからのデータ等を制御部２４へ出力する。【００２６】
記憶部２６は、各端末装置１０に対しリソースの割当て順序を示すリソース割当てテーブル等のテーブルや各閾値を記憶する。詳細は後述する。【００２７】
無線品質によるＭＳ順序付与部（以下、順序付与部）２７は、測定部２３により収集した無線品質に基づいて、記憶部２６に記憶されたリソース割当てテーブル等を参照して、予め決められた順番で端末装置１０に対するリソースの割当て等の処理を行う。【００２８】
送信データの順序並び替え部（以下、順序並び替え部）２８は、収集した無線品質情報から、無線品質の悪い順に配下の各端末装置１０を並べる等の処理を行う。【００２９】
割当てパターン判定部２９は、端末装置１０ごとの無線品質に対して、無線品質閾値とを比較し、割当てパターンの決定等の処理を行う。順序付与部２７、順序並び替え部２８、及び割り当てパターン判定部２９の詳細は後述する。【００３０】
割当てパターン判定閾値設定部３０は、割当てパターン判定部２９で使用する無線品質の閾値（以下、無線品質閾値）を設定する。設定された無線品質の閾値は、記憶部２６に記憶される。【００３１】
また、割込み許容ＭＳ無線品質閾値設定部３１は、順序付与部２７で使用する割込み許容ＭＳ無線品質閾値（以下、許容品質閾値）を設定する。設定された許容品質閾値は、記憶部２６に記憶される。【００３２】
更に、割込み許容リソース番号限界閾値設定部３２は、順序付与部２７で使用する割込み許容リソース番号限界閾値（以下、番号品質閾値）を設定する。設定された番号品質閾値は、記憶部２６に記憶される。【００３３】
次に、このように構成された無線基地局装置２０における動作について説明する。図３及び図４は、無線基地局装置２０で実行されるリソース割当て処理の動作例を示すフローチャートである。【００３４】
まず、無線基地局装置２０が本処理を開始すると（Ｓ１０）、無線送受信部２２は端末装置１０から送信された無線品質情報を受信する（Ｓ１１）。無線送受信部２２は、受信した無線品質情報を測定部２３に出力する。尚、無線送受信部２２は無線品質情報とともに各端末装置１０の識別情報も受信する。測定部２３は当該無線基地局装置２０配下の全端末装置１０の無線品質情報を受け取ることになる。【００３５】
次いで、順序並び替え部２８は、収集した無線品質情報から無線品質の悪い順に端末装置１０を並べる（Ｓ１２）。順序並び替え部２８は、制御部２４を介して測定部２３から、収集した無線品質情報を取得し、無線品質の悪い順に並べ、並べたものを記憶部２６に記憶する。【００３６】
次いで、割当てパターン判定部２９は、記憶部２６に記憶された無線品質閾値と、記憶部２６に記憶された端末装置１０ごとの無線品質情報とを読み出し、無線品質閾値と無線品質情報とを比較して、割当てパターンを決定する（Ｓ１３）。【００３７】
図５は、記憶部２６に記憶された無線基地局装置２０のリソース割当てテーブル２６０の例である。同図は、横軸は時間を示し、縦軸は周波数を示す。後述するように、順序付与部２７が各端末装置１０の番号をリソース割当てテーブル２６０に記憶させることでリソースの割当てが行われる。【００３８】
本無線基地局装置２０は、Ｔ１時間帯において分割された周波数幅を各セルで用い（図１２（Ａ））、Ｔ２時間帯において各セルで複数の周波数（例えば全周波数）を用いる（図１２（Ｂ））。【００３９】
具体的には、図１２のセル＃１の無線基地局装置は、例えば、Ｔ１においてｆ１、ｆ２を用い、Ｔ２においてｆ１〜ｆ６を用いる。また、セル＃２の無線基地局装置は、例えば、Ｔ１においてｆ３、ｆ４を用い、Ｔ２においてｆ１〜ｆ６を用いる。さらに、セル＃３の無線基地局装置は、例えば、Ｔ１においてｆ５、ｆ６を用い、Ｔ２においてｆ１〜ｆ６を用いる。【００４０】
尚、例として、Ｔ１、Ｔ２はそれぞれ上り方向に信号が送信される時間が上げられ、Ｔ１の領域のｔ１ｆ１を割当てられた端末装置は、スロットｔ１でｆ１による送信を行い、Ｔ２の領域のｔ９ｆ１を割当てられた端末装置は、スロットｔ９でｆ１による送信を行う。【００４１】
その際、送信電力は、端末装置間で同じとすることもできるが、好ましくは、無線品質情報に基づいて、品質が良いほど送信電力が低く、品質が悪いほど送信電力を高くする。端末装置の送信電力は例えば、無線基地局が送信領域の指定にあわせて指定することができる。【００４２】
割当てパターン判定部２９は、例えば、無線品質閾値より高い値の無線品質情報を持つ端末装置１０をＴ２時間帯の領域に割り振り、無線品質閾値より小さい値の無線品質情報を持つ端末装置１０をＴ１時間帯の領域に割振る。この無線品質閾値は、いわば、端末装置１０をＴ１時間帯にリソースを割当てるか、Ｔ２時間帯にリソースを割当てるかの閾値である。【００４３】
従って、リソース割当てテーブル２６０のＴ２時間帯の領域には、通信品質が良い（無線品質閾値より高い無線品質情報）、つまり無線基地局装置２０に近い端末装置１０が割当てられ、Ｔ１時間帯の領域には、品質が良くない（無線品質閾値より低い無線品質情報）、つまり無線基地局装置２０から離れてセル境界に近い端末装置１０が割当てられる。【００４４】
尚、図５でＴ１時間帯とＴ２時間帯の境界が切替え時間を示し、切替え時間でＴ１時間帯とＴ２時間帯が交互に切替わる。ただし、後述するように、状況に応じて各無線基地局装置２０が自律してリソースの割込みを行い、切替え時間が変化する。【００４５】
図３に戻り、次いで、順序付与部２７は、悪い順に並べた端末装置１０の番号の送信データを予め定められた共通のリソース番号の順に割当てる（Ｓ１４）。【００４６】
図６（Ａ）乃至同図（Ｃ）は、リソースの割当て順序を示すテーブル（以下、「順序テーブル」２６１〜２６３の例を示す図である。尚、図６（Ａ）乃至同図（Ｃ）は、図１２に示したセル＃１〜＃３にそれぞれ対応する。【００４７】
順序テーブル２６１〜２６３の番号は、リソースを割当てる順序を示す。Ｔ１領域とＴ２領域とでは、Ｓ１３の処理により、品質の良い端末装置１０がＴ２領域に、品質の良くない端末装置１０がＴ１領域に割振られているため、Ｔ１領域の番号「１」が最も品質が良くない。最も品質のよい端末装置１０はＴ２領域の番号「３６」に割当てられる。即ち、品質の良くない端末装置は、Ｔ２領域の開始からできるだけ離れた時間帯（スロットｔ１又はスロットｔ１〜ｔ３等）を割当て、品質の良い端末は、Ｔ１領域側にできるだけ近い時間帯（スロットｔ９又はスロットｔ９〜ｔ１２等）に配置する。【００４８】
例えば、記憶部２６に順序テーブル２６１〜２６３が記憶され、順序付与部２７は記憶部２６から当該テーブル２６１〜２６３を読み出し、その番号順に各端末装置１０の情報をリソース割当てテーブル２６０に書き込むことで、リソースを割当てる。【００４９】
尚、本実施例では、図１１等に示すように、３種類のセル（セル＃１〜セル＃３）により全セルが構成され、各セルは６角形のセル範囲（６つのセクタ領域）を有する。図６（Ａ）乃至同図（Ｃ）は、夫々セル＃１からセル＃３を有する各無線基地局装置２０（無線基地局装置２０‐１〜２０‐３）の各順序テーブル２６１〜２６３の例を示している。【００５０】
図３に戻り、次いで、順序付与部２７は、割当てようとした送信データに対して先に設定された割当てパターンで使用できるリソースが不足していた場合に、別の割当てパターンのリソースが空きであるとき、当該送信データを予め定めた共通順序に従って割当てる（Ｓ１５）。つまり、順序付与部２７は、端末装置１０に割当てるリソースが不足しているときに、Ｔ１領域またはＴ２領域に割込んでリソースを割当てる。【００５１】
図７（Ａ）乃至図７（Ｃ）は、共通順序を含む順序テーブル２６１〜２６３の例であり、Ｔ１時間帯（Ｔ１領域）に端末装置１０に割当てるリソースが不足し、割込んでリソースを割当てる場合の順序例を示す図である。「共通順序」とは、Ｔ１領域等に割り込んだ領域の順序のことである。従って、各無線基地局装置２０は、各順序テーブル２６１〜２６３に基づいて割込んだ時間でＴ１時間帯とＴ２時間帯とを切替えることに等しくなる。【００５２】
即ち、無線通信品質が相対的に悪い無線端末（グループ１に属する無線端末）は、スロットｔ１〜スロットｔ８までの範囲内で上り送信領域の割り当てを受けることが許容されるが、割り当て領域が足りなくなると、スロットｔ９も利用して割り当てを行う。その際に使用される周波数は、図７（Ａ）の場合であれば、ｆ１、ｆ２に制限することもできるが、ここでは、ｆ１〜ｆ６まで使用することを許容している。尚、グループ１に属する無線端末のうち、相対的に無線通信品質が良好なものを割込んだ時間帯に配置する。【００５３】
また、図８（Ａ）乃至同図（Ｃ）は、Ｔ２時間帯（Ｔ２領域）に端末装置１０に割当てるリソースが不足し、Ｔ１時間帯（Ｔ１領域）に割込んでリソースを割当てる場合の順序例を示す図である。順序付与部２７は、Ｔ２時間帯でリソースが不足し、Ｔ１時間帯にリソースに空きがあれば、「共通順序」に従って割込んだ領域にリソースを割当てる。【００５４】
即ち、無線通信品質が相対的に良い無線端末（グループ２に属する無線端末）は、スロットｔ９〜スロットｔ１４までの範囲内で上り送信領域の割り当てを受けることが許容されるが、割り当て領域が足りなくなると、スロットｔ８も利用して割り当てを行う。その際、使用する周波数は、図８（Ａ）の場合であれば、ｆ１、ｆ２に制限することもできるが、ここでは、ｆ１〜ｆ６まで使用することを許容している。尚、グループ２に属する無線端末のうち、相対的に無線通信品質が良好なものを割込んだ時間帯に配置する。【００５５】
言い換えると、無線通信品質に応じて複数の無線端末装置を第１のグループ、第２のグループに分類し、第１のグループに分類する無線端末装置のうち、無線通信品質が最良な無線端末装置に割当てる送信時間帯と、該第２のグループに属する無線端末装置のうち、無線通信品質が最良な無線端末装置に割当てる送信時間帯とが、時間的に最も近接又は重なるように割当てる。【００５６】
以上のように、割込んでリソースが割当てられた端末装置１０はリソース番号が大きく、通信品質は比較的良好である。例えば、図７（Ａ）に示す例では、Ｔ１領域の番号「１７」から「２２」に割当てられる端末装置１０は、Ｔ１領域に割当てられた端末装置１０の中では、通信品質が他と比較して良く、従って、他の端末装置１０と比較して無線基地局装置２０に近い場所に存在する。よって、通信品質は良好なため、割込んでリソースが割当てられても問題は少ない。つまり、Ｔ１領域の中では比較的セル中心に近い場所に在圏する端末装置であり、干渉を与える隣接セルからの距離は遠く、従って被干渉の影響度合いが小さく、また、干渉が増加しても品質は比較的良好な端末装置であるので、干渉耐力も高いからである。【００５７】
尚、好ましくは、無線端末装置は無線通信品質に応じて送信電力が制御される。即ち、無線通信品質が良好な無線端末装置ほど送信電力が小さく制御され、無線通信品質が悪いほど送信電力が大きく制御される。【００５８】
このように、本実施例における無線基地局装置２０は、Ｔ１領域（またはＴ２領域）のリソースが不足しＴ２領域（またはＴ１領域）にリソースの空きがあれば、当該端末装置１０に対してＴ２領域（またはＴ１領域）に割込んでリソースを割当てる。そして、各無線基地局装置２０は、割込んだ切替え時間でＴ１時間帯とＴ２時間帯とを切替える。従って、各無線基地局装置２０は、状況に応じて適応的に切替え時間を変更することができる。【００５９】
ただし、かかるリソースの割込みに関し、無制限に割込んでリソースが割当てられると、通信品質を満たさないものまでリソースが割当てられ、リソースの無駄になってしまう場合がある。【００６０】
例えば、端末装置１０に対して割込んでリソースが割当てられたときに、隣接セルで同時に同一周波数のリソースを使用している可能性があり、その隣接セルからの同一周波数により干渉を受けて、品質を確保できないもある。図９（Ａ）及び同図（Ｂ）はその様子を示す図である。セル＃２のＴ２領域に割込んで割当てられた「１９」、「２０」番目の端末装置１０は、例えば、隣接セル＃１のＴ２領域の「ｔ９ｆ３」や「ｔ９ｆ４」に割当てられた端末装置１０が存在するとき、この周波数により干渉を受ける。【００６１】
そこで、本無線基地局装置２０は「許容品質閾値」を定め、これを満たす端末装置１０に対してのみ割込んでリソースを与えることにする（図３のＳ１６）。すなわち、順序付与部２７は、割当てようとした送信データに対応する端末装置１０の無線品質を、予め定めた「許容品質閾値」と比較して、当該端末装置１０の無線品質が大きい場合のみ割込んでリソースを割当てる。【００６２】
例えば、図９（Ｂ）に示すように、順序付与部２７はＴ１領域の「１７」、「１８」の端末装置１０に対して、リソース不足でＴ２領域に割込んで割当てようとしたが、品質が許容品質閾値より低いためリソースを割当てないようにしている。許容品質閾値を「１０ｄＢ」としたとき、順序が「１７」番目の端末装置１０の品質は「８ｄＢ」、「１８」番目の端末装置１０の品質は「９ｄＢ」、「１９」番目は「１１ｄＢ」、「２０」番目は「１５ｄＢ」の場合などである。【００６３】
図９（Ｂ）の例は、Ｔ１領域からＴ２領域へ割込んでリソースを割当てる例であるが、Ｔ２領域からＴ１領域へ割込んでリソースを割当ててもよい。【００６４】
つまり、Ｔ１領域に空きリソースが存在し、Ｔ２領域にリソース不足がある場合は、図８のような順序で割込んでいく。この場合は、割込まれるＴ１領域の隣接するセルでは、この割込まれるリソース番号に割当てられている端末装置の品質は、Ｔ１領域の中では比較的良い端末装置である。つまり、Ｔ１領域に中では比較的セル中心に近い位置に在圏する端末装置であり、したがって、干渉を与える隣接セルからの距離は遠く、よって被干渉の影響度合いが小さく、さらに元々品質が比較的良いので干渉耐力が高い。また、割込んでいく本来のＴ２領域の端末装置はＴ２領域の中でもセル中心に近い位置に在圏する端末なので、送信電力は比較的小さく、したがって、与干渉の影響が小さい端末である。よって、割込んでリソースを与えられても問題は少ない。【００６５】
一方で、図９のＴ２領域にＴ１領域の端末が割込む場合の、割込まれたＴ２領域側からすると、隣接セルにおけるＴ２領域の各端末装置１０は、割込んでリソースを与えられたＴ１領域の端末装置１０に対して干渉を与える。図９（Ａ）の例では、セル＃１のＴ２領域において「１」〜「６」番目に割当てられた端末装置１０は、他の「７」〜「１２」番目等の端末装置１０と比較して通信品質が悪く、無線基地局装置２０から離れているため、無線基地局装置２０の通信パワーも大きくなる。従って、セル＃１のＴ２領域の「１」〜「６」番目の端末装置１０は、他と比較して隣接セルに対して干渉を与えやすい。【００６６】
図９（Ｃ）及び同図（Ｄ）はその例を説明するための図であり、例えば、セル＃１は、セル＃２のＴ２領域の「１」〜「６」番目に割込んでリソースが割当てられた端末装置１０に対して干渉を与える。【００６７】
どこまで割込ませるか、言い換えると、干渉を与える側からどの程度まで干渉が少なく通信品質として問題ないかの許容値を示すものが「番号品質閾値」である。この「番号品質閾値」を満たすリソース番号の割込みを許容し、それより大きいリソース番号のものは割込みを許容しないようにする（図４のＳ１７）。つまり、順序付与部２７は、割込んで割当てようとした共通リソース番号を予め定めた「番号許容閾値」と比較して、許容される範囲の場合のみ割込んでリソースを割当てる。順序付与部２７は、記憶部２６に記憶された「番号許容閾値」を読み出して、割込ませようとする端末装置１０の識別番号とを比較して、番号が「番号許容閾値」以上のときにリソースを割込ませて割当てる。【００６８】
別の側面からこの「番号許容閾値」を考えると、干渉を与える側からは、割込む端末装置１０はどのような品質であれ、干渉を与えるときは与えるものである。従って、割込みを許容する端末装置１０の個数を示すものが「番号許容閾値」と考えることもできる。上述した例では、勿論「１７」番よりも「１８」番の方が品質は良いものの、割込みを許容する個数を決め、順番に割当てていく方が処理の容易さの観点から有利である。【００６９】
逆に、図８（Ａ）乃至同図（Ｃ）のように本来Ｔ２領域の端末装置がＴ１領域に割込む場合も、割込み先のＴ１領域のリソース番号を無制限に割込んでいくと、品質がかなり悪い端末番号の位置まで割込んでいく確率が高くなる。そこで、これもある数を規定して割込みを制限するようにすることが同様に考えられる。【００７０】
そして、図３に戻り、無線基地局装置２０はリソース割当てを完了し、割当てたリソースに基づいて、無線送受信部２２から送信データを送信し（Ｓ１８）、一連の処理を終了させる（Ｓ１９）。制御部２４は、記憶部２６に記憶されたリソース割当てテーブル２６０に従って、制御部２４が無線送受信部２２を制御することで、無線送受信部２２と端末装置１０との間でデータの送受信が行われる。Ｔ１時間帯とＴ２時間帯の切替えは、制御部２４で行う。【００７１】
図１０（Ａ）及び同図（Ｂ）は、上述したフローチャートにより実行されたリソース割当ての具体例を示すものである。双方とも、リソース割当てテーブル２６０の例を示す図である。【００７２】
図１０（Ａ）に示すように、Ｔ２領域のリソースが不足しＴ１領域のリソースが空いていると、Ｔ２領域に割当てられる端末装置に対してＴ１領域に割込んでリソースが割当てられている。同図（Ｂ）はその逆にＴ２領域に割込んでＴ１領域の端末装置にリソースが割当てられている。【００７３】
このように、互いに隣接するセル＃１とセル＃２において、独立してセル毎に割当てを実行した端末装置のリソース配置において、セル＃１では本来Ｔ２領域に割当てられるべき３７番から４２番の端末装置がＴ１領域に割当てられており、特に３９番と４０番の端末装置が隣接するセル＃２の本来なら異なる周波数を割当てられる時間帯であるＴ１時間領域に割当てられるべき１５番と１６番の端末装置と時間軸も周波数軸も重なっていることが分かる。上記実施例によらず、割込みをするような場合は、セル＃２の１５番と１６番の端末装置は、セル＃１の３９番と４０番の端末装置から干渉を受けて品質が劣化するはずであるが、上記実施例によれば、セル＃２の１５番と１６番はセル＃２の時間領域Ｔ１の中では干渉に強い端末装置であり、また、割込んだセル＃１の３９番と４０番の端末装置が、セル中心に位置する端末装置であることから与干渉の度合いが小さい端末装置であるため問題が起らない確率が高いことが分かる。また、セル＃２において、Ｔ２領域に割り込んだ１７番から２０番の端末装置は、上記実施例によらず割込みをした場合は、隣接セル＃１の３３番から３６番の端末装置から間ｓ尿を受けて品質が問題となるが、本実施例によれば、セル＃２の１７番から２０番の端末装置の品質は比較的良く、セル＃１の３３番から３６番の端末装置はセル中心付近に位置し、与干渉の度合いが小さい端末であるために、問題が起こりにくいことがわかる。【００７４】
上述した例は、Ｔ１時間帯において３種類の周波数により各セルに周波数を割当てる例について説明した（図１２（Ａ）等）。Ｔ１時間帯において、隣接セルで異なる周波数が用いられていれば、３種類のみならず、セルの形状に応じて種々の数の周波数を用いてもよい。  
【図１】
2009025005.tif 000003
【図２】
2009025005.tif 000004
【図３】
2009025005.tif 000005
【図４】
2009025005.tif 000006
【図５】
2009025005.tif 000007
【図６】
2009025005.tif 000008
【図７】
2009025005.tif 000009
【図８】
2009025005.tif 000010
【図９】
2009025005.tif 000011
【図１０】
2009025005.tif 000012
【図１１】
2009025005.tif 000013
【図１２】
2009025005.tif 000014
【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
無線通信品質に応じて複数の無線端末装置を第１のグループ、第２のグループに分類し、
該第１のグループに属する無線端末装置のうち、無線通信品質が最良な無線端末装置に割当てる送信時間帯と、該第２のグループに属する無線端末装置のうち、無線通信品質が最良な無線端末装置に割当てる送信時間帯とが、時間的に最も近接又は重なるように割当てる、
ことを特徴とする無線リソース割当て方法。
【請求項２】
無線通信品質に応じて複数の無線端末装置を第１のグループ、第２のグループに分類する分類部と、  
該第１のグループに属する無線端末装置のうち、無線通信品質が最良な無線端末装置に割当てる送信時間帯と、該第２のグループに属する無線端末装置のうち、無線通信品質が最良な無線端末装置に割当てる送信時間帯とが、時間的に最も近接又は重なるように割当てる割当て部と、
を備えることを特徴とする無線基地局。
【請求項３】
システムに割当てられた全周波数を分割し隣接セルと異なる周波数を各セルで使用するように配下の端末装置に前記周波数を割当てる第１の時間帯と、前記全周波数を各セルで使用するように前記配下の端末装置に周波数を割当てる第２の時間帯とを交互に繰り返して前記端末装置にリソースを割当てるようにした、無線基地局装置におけるリソース割当て方法において、
前記無線基地局装置は前記第１の時間帯と前記第２の時間帯の夫々において前記端末装置に前記リソースを割当てるときに、前記第１の時間帯または前記第２の時間帯に前記端末装置に割当てるリソース数が不足し、夫々前記第２の時間帯または前記第１の時間帯に前記端末装置に割当てるリソース数が空いていると、前記第１の時間帯または前記第２の時間帯に割当てるべき前記端末装置のリソースを夫々前記第２の時間帯または前記第１の時間帯に割込んで割当てる割当てステップ、
を備えることを特徴とするリソース割当て方法。
【請求項４】
前記割当てステップにおいて、前記無線基地局装置は前記端末装置から収集した無線品質に応じた順序に従って前記端末装置に前記リソースを割当て、前記第２の時間帯または前記第１の時間帯に割込んで前記リソースが割当てられる前記端末装置の前記無線品質は割込まずに前記リソースが割当てられた前記端末装置の前記無線品質と比較し前記無線品質が高いことを特徴とする請求項１記載のリソース割当て方法。
【請求項５】
前記割当てステップにおいて、前記第２の時間帯または前記第１の時間帯に割込んで前記端末装置に前記リソースを割当てるときに、前記無線基地局装置は許容品質以上の前記無線品質を有する前記端末装置に対してのみ割込んで前記リソースを割当てることを特徴とする請求項２記載のリソース割当て方法。
【請求項６】
前記割当てステップにおいて、前記第２の時間帯または前記第１の時間帯に割込んで前記端末装置に前記リソースを割当てるときに、前記無線基地局装置は前記無線品質に応じた順序に基づく許容番号以上の無線品質を有する前記端末装置に対して割込んで前記リソースを割当てないことを特徴とする請求項２記載のリソース割当て方法。
【請求項７】
システムに割当てられた全周波数を分割し隣接セルと異なる周波数を各セルで使用するように配下の端末装置に前記周波数を割当てる第１の時間帯と、前記全周波数を各セルで使用するように前記配下の端末装置に周波数を割当てる第２の時間帯とを交互に繰り返して前記端末装置にリソースを割当てる無線基地局装置において、
前記第１の時間帯と前記第２の時間帯の夫々において前記端末装置に前記リソースを割当てるときに、前記第１の時間帯または前記第２の時間帯に前記端末装置に割当てるリソース数が不足し、夫々前記第２の時間帯または前記第１の時間帯に前記端末装置に割当てるリソース数が空いていると、前記第１の時間帯または前記第２の時間帯に割当てるべき前記端末装置のリソースを夫々前記第２の時間帯または前記第１の時間帯に割込んで割当てる順序付与部、
を備えることを特徴とする無線基地局装置。
【国際調査報告】
2009025005.tif 000015
2009025005.tif 000016
2009025005.tif 000017